(57)【要約】【課題】ウィンドウサイズをヘッダに持つプロトコルのパケットの通信において、パケットのフラグメンテーションの発生を低減する通信制御方法、ゲートウェイ、および、記録媒体を提供する。【解決手段】異なるネットワークあるいは通信回線を接続するゲートウェイにおいて、ウインドウサイズを含むヘッダを有するパケットを転送する際に、パケットの転送するに先立ち、転送先の通信媒体のＭＴＵを調査する手段と、転送元の通信媒体のＭＴＵを調査する手段と、前記調査の値をもとに転送するパケットのヘッダのウインドウサイズを修正する手段を有する。従って、ウインドウサイズをＭＴＵより小さい適当な値に修正したとすると、ウインドウサイズを修正されたパケットを受信した端末は、前記パケットに返信する際にパケットサイズをウインドウサイズ以下とするため、パケットのフラグメンテーションを低減することが可能となる。【選択図】        図１
2004328219.tif 000002
【特許請求の範囲】
【請求項１】
転写した画像を定着する定着手段
画像データ或いは原稿を拡大・縮小して記録媒体にプリントする変倍プリント手段
画像データ或いは原稿を等倍でプリントする時の画像の縦の長さをＸ１，画像の横の長さをＹ１とし、また記録倍体の縦の長さをＸ２、記録媒体の搬送方向である横の長さをＹ２とした場合に、
倍率１（Ｘ２／Ｘ１）と倍率２（Ｙ２／Ｙ１）を算出して、次に倍率１と倍率２を比較して数値の小さい方の倍率を選択する倍率選択手段と
倍率１が選択された場合に余白が記録媒体の先端に転写されるように画像出力位置をずらすか又は画像を回転して出力する事を特徴とする画像形成装置。
【請求項２】
前記定着手段により定着された後の搬送路に配置され記録媒体の画像を検査する画像検知手段と
前記画像検知手段により検査した画像の余白部分を検知する余白検査手段と
前記画像検知手段が配置された搬送路よりも下流側に配置され、シートを切断するシート切断手段と
を備え、前記倍率選択手段により選択された倍率で画像形成を行ったのち、余白検査手段により検知された
余白を前記シート切断手段により切断する事を特徴とする請求項１記載の画像形成装置。
【発明の詳細な説明】
【０００１】
【発明の属する技術分野】
本発明は画像形成装置に関するものである。
【０００２】
【従来の技術】
従来、定着部通過後の分離性を上げるために、紙送りの先端部分の画像の一部を余白部に置き換えることを行っている。
【０００３】
一方、原稿サイズと出力サイズの縦横の長さの比率が同じでない場合に、従来の自動変倍機能では、画像が欠けないように可能な限り大きな倍率で変倍を計算し行う。その結果、四方のうちの１辺に余白部分が出来る。この時、余白部は、紙の送り方向の先端ではなく、それ以外の辺に形成される。
【０００４】
【発明が解決しようとする課題】
ふちの無い画像形成が望まれている。
【０００５】
しかし従来の技術では、画像の紙送り方向の画像が欠けてしまう（課題１）。
【０００６】
さらに、原稿サイズと出力サイズの縦横の長さの比率が同じでない場合に、従来の自動変倍機能では、画像が欠けないように可能な限り大きな倍率で変倍を計算し行う。その結果、四方のうちの１辺に余白部分が出来る（課題２）。
【０００７】
【課題を解決するための手段】
転写した画像を定着する定着手段、画像データ或いは原稿を拡大・縮小して記録媒体にプリントする変倍プリント手段、画像データ或いは原稿を等倍でプリントする時の画像の縦の長さをｌｏｍ，画像の横の長さをｌｏｓとし、また記録倍体の縦の長さをｌｐｍ、記録媒体の搬送方向である横の長さをｌｐｓとした場合に、倍率１（ｌｐｍ／ｌｏｍ）と倍率２（ｌｐｓ／ｌｏｓ）を算出して、次に倍率１と倍率２を比較して数値の小さい方の倍率を選択する倍率選択手段と倍率１が選択された場合に余白が記録媒体の先端に転写されるように画像出力位置をずらすか又は画像を回転して出力する事を特徴とする画像形成装置。
【０００８】
それにより画像の一部が欠けることなく、定着の分離性を改善する。
【０００９】
前記定着手段により定着された後の搬送路に配置され記録媒体の画像を検査する画像検知手段と、前記画像検知手段により検査した画像の余白部分を検知する余白検査手段と、前記画像検知手段が配置された搬送路よりも下流側に配置され、シートを切断するシート切断手段とを備え、前記倍率選択手段により選択された倍率で画像形成を行ったのち、余白検査手段により検知された余白を前記シート切断手段により切断する事を特徴とする請求項１記載の画像形成装置。
【００１０】
それにより余白部の無い画像が形成される。
【００１１】
【発明の実施の形態】
（第１の実施例）
図１は、本発明の実施形態である画像形成装置１０００の内部構成を示す断面図である。
【００１２】
画像形成装置１０００は原稿給送装置１００、イメージリーダ２００、プリンタ部３００、折り装置４００、フィニシャー５００、トリマー６００を有する。
【００１３】
原稿給送装置１００は、セットされた原稿を先頭頁から順に１枚ずつ、湾曲したパスを介してプラテンガラス１０２上を左から右へ向けて搬送し、その後排紙トレイ１１２へ排出する。
【００１４】
このときイメージリーダ２００は、以下のように動作する。スキャナユニット１０４は所定の位置に保持された状態にあり、このスキャナユニット１０４上を原稿が左から右へ通過することにより、原稿の読み取りが行われる。
【００１５】
原稿の通過時、スキャナユニット１０４のランプ１０３の光が原稿に照射され、その原稿からの反射光がミラー１０５、１０６、１０７、レンズ１０８を介してイメージセンサ１０９に導かれる。尚、原稿給送装置１００により原稿をプラテンガラス１０２上に搬送した後に停止させ、スキャナユニット１０４を左から右へ移動させることにより、原稿の読み取りを行うこともできる。
【００１６】
次にプリンタ部３００の動作を以下に説明する。イメージセンサ１０９により読み取った原稿の画像は画像処理が施されて露光制御部１１０へ送られる。露光制御部１１０は画像信号に応じたレーザ光を出力する。このレーザ光は感光ドラム１１１に照射され、感光ドラム１１１上に静電潜像が形成される。感光ドラム１１１上の静電潜像は現像器１１３により現像され、感光ドラム１１１上の現像剤はカセット１１４、１１５、手差し給紙部１２５、両面搬送パス１２４のいずれかから給送されたシートに転写部１１６で転写される。
【００１７】
手差し給紙部１２５、カセット１１４、１１５から給紙されるシートは不図示の操作部１からユーザーによってその種類、例えば、厚紙、ＯＨＰシート等の設定可能であり、これらのシートの種類に応じて最適な搬送条件や、画像形成条件が選択される。
【００１８】
現像剤が転写されたシートは定着部１１７で現像剤の定着処理が施される。定着部１１７を通過したシートはフラッパ１２１により一旦パス１２２に導き、シートの後端がフラッパ１２１を抜けた後にシートをスイッチバックさせてフラッパ１２１により排出ローラ１１８へ導く。
【００１９】
これにより、現像剤が転写された面を下向きの状態（フェイスダウン）で排出ローラ１１８によりプリンタ部３００から排出される。
【００２０】
排出ローラ１１８から排出されたシートはトリマー６００に給送され、画像形成装置の操作部やプリンタドライバからのオペレータ設定に応じて、トリマーが必要な場合は、シート後端を切断する。
【００２１】
トリマーの排出後にはフィニッシャー５００があり、フィニッシャー５００は、シートを内部に導くための入口ローラ対５０２を有する。入口ローラ対５０２の下流には、シートをフィニシャパス５５２、または、フィニッシャ内反転パス５５３に導く為の不図時の切換フラッパが設けられている。
【００２２】
［各制御部の構成］
図２に示すように、画像形成装置１０００の制御部は以下の構成となっている。まず、画像形成回路部１５０は、ＣＰＵ１５３を有し、ＲＯＭ１５１に格納されているプラグラム及び操作部１の設定に従って、原稿給送装置制御部１０１、イメージリーダ制御部２０１、画像信号制御部２０２、プリンタ制御部３０１、折り装置制御部４０１、フィニッシャー制御部５０１、外部Ｉ／Ｆ２０９、を司る。それぞれ原稿給送装置制御部１０１は原稿給送装置１００を、イメージリーダ制御部２０１はイメージリーダ２００を、プリンタ制御部３０１はプリンタ部３００を、処理部制御部４０１は折り装置４００を、フィニッシャー制御部５０１はフィニッシャー５００を、トリマー制御部６０１はトリマー６００を制御する。
【００２３】
ＲＡＭ１５２は、制御データを一時的に保持する領域や、制御に伴う演算の作業領域として用いられる。外部Ｉ／Ｆ２０９は、コンピュータ２１０からのインターフェイスであり、プリントデータを画像に展開して画像信号制御部２０２へ出力する。イメージリーダ制御部２０１から画像信号制御部２０２へはイメージセンサ１０９で読み取られた画像が出力され、画像信号制御部２０２からプリンタ制御部３０１へ出力されて、画像形成される。画像信号制御部２０２は、ＣＰＵ１５３からレジスタに書き込まれた値によって、さまざまな画像加工が可能である。画像を指定の角度に回転したり、所定の倍率に変換したり、線を追加することができる。これは後述する回転や拡大やダミーラインの追加を可能とする。
【００２４】
［トリマー構成・動作説明］
図３から図９までを用いてトリマー６００の動作について詳細に説明を行う。
【００２５】
図３に示す様に、次に受入れるシート６２２のシートサイズの情報が不図示のプリンタ制御部３０１から発行されると、それに応じてストッパー６１４が、不図示のストッパーモータＭ２５により、カッター６０７によりシートを裁断するのに、シートサイズに応じた最適な位置へと移動する。シート６２２が、入口ローラ６０２を通過し、搬送ローラ６０３，６０５，６０６，６１１，６１２により搬送されストッパー６１４に突当てられる。図４に示す様に、シート６２２が入口センサ６０４を通過する。図５に示す様に、ストッパー６１４に突当てられたシート６２２は後端を均一に裁断するためにプレス板６０９下降させて、プレス板に具備された従動ローラ６０８，６１０により加圧され固定される事になる。加圧されたシート６２２は、図６に示す様にカッター６０７が降下する事によりシート６２２の後端が裁断される。裁断が終了すると、カッター６０７は不図時のカッターモータＭ２２により図７の様に退避し、プレス板６０９を上昇させて、ストッパー６１４は不図示のストッパー解除モータＭ２４により、下側に退避する。裁断処理されたシートは、搬送ローラ６１１，６１２，で搬送される。
【００２６】
［トリマーとフィニシャー制御ブロック図の説明］
図１９はフィニシャー５００のフィニッシャー制御部５０１及びトリマー６００の制御部６０１の詳細を示すブロック図である。
【００２７】
同図に於いて、フィニッシャー制御部５０１は、ＣＰＵ５１１０、ＲＯＭ５１２０、ＲＡＭ５１３０等で構成されるフィニッシャーＣＰＵ回路部５１００を有し、通信ＩＣ５１４０を介して画像形成装置１０００のＣＰＵ回路部１５０と通信してデータの交換を行う。ＲＯＭ５１２０に格納されている各種プログラムに従って制御を行っている。
【００２８】
トリマー制御部６０１は、ＣＰＵ６１１０、ＲＯＭ６１２０、ＲＡＭ６１３０等で構成されるトリマーＣＰＵ回路部６１００であり、通信ＩＣ６１４０を介して、画像形成装置１０００のＣＰＵ回路部１５０と通信してデータの交換を行い、ＲＯＭ６１２０に格納されている各種プログラムに従って制御を行う。
【００２９】
６１５０は各種ドライバ回路であり、トリマーＣＰＵ部６１００からの信号を受けてモータ、ソレノイド、クラッチを駆動する。
【００３０】
Ｍ２１は入口ローラ６０２、搬送ローラ６０３、６０５、６０６、６１１、６１２、排紙ローラ６１５、６１６、６１７の駆動源である搬送モータ、Ｍ２２はカッター６０７の駆動源であるカッターモータ、Ｍ２３はプレス板６０９の駆動源であるプレスモータ、Ｍ２４はストッパー６１４を解除させる駆動源であるストッパー解除モータ、Ｍ２５はストッパー６１４移動させる駆動源であるストッパーモータである。
【００３１】
６０４は、トリマーの入口部付近に取り付けられたトリマーシーケンスのスタートタイミング等に使われる入口センサ、６１３は、ストッパー６１４に取り付けられたシートのブレーキタイミング等に使われるストッパーセンサである。
【００３２】
［フローチャートによる動作説明］
Ｓ３０１で、シートの搬入を可能にする為、搬送モータを駆動させる。そして、Ｓ３０２で入口センサ６０４のオンを待ち、オンした後、そのシートが、トリム動作するシートかどうかの判断を行う（Ｓ３０３）。トリムするシートとは、シートの折られていない側をカットすることで、シートの端部を切りそろえる処理をするシートであり、トリムしないシートは、上記カット処理をせずそのまま排出を行うシートである。Ｓ３０３でトリムしないシートと判断された場合は、Ｓ３０４の非トリムシーケンスへ、又、トリムするシートと判断された場合は、Ｓ３０５のトリムシーケンスへ処理を進め、どちらの場合も該当する処理終了後、Ｓ３０６のトリムシート排出シーケンスへ処理を進める。そして、Ｓ３０７で、次に搬送されてくるシートの有無の判断を行い、無い場合は搬送モータの停止を行い（Ｓ３０８）、トリマーシーケンスを終了する。
【００３３】
この、トリマーシーケンスを実行することで、トリムを行うシートも行わないシートも、それぞれ、搬送パスを搬送され、フィニッシャーへの排出が完了する。
【００３４】
次に、図１７のフローチャートを用いて、図１６のＳ３０４における、非トリムシーケンスの説明を行う。
【００３５】
Ｓ４０１では、ストッパー６１４の移動完了を確認する。これは、シートのシートサイズに基づいて行われるものであるが、正しく搬送されているかを判断する為のジャム検知処理に関して、正しい距離（位置）であることが重要となるからである。そして、ストッパー６１４移動完了後、ストッパー６１４の退避処理を行う（Ｓ４０２）。これは、非トリムシーケンスにおいては、ストッパーに突き当てて停止する必要がなく、搬送を行う為にパス上からストッパー６１４を退避させる必要があるからである。
【００３６】
そして、ストッパー６１４の位置に配置されたストッパーセンサ６１３のオンを待ち（Ｓ４０３）、その後、非トリムシーケンスを終了する。
【００３７】
次に、図１７のフローチャートを用いて、図１６のＳ３０５における、トリムシーケンスの説明を行う。
【００３８】
Ｓ５０１で、ストッパー６１４の移動の完了を待つ。次に、ストッパー部にあるストッパーセンサ６１３のオンをまち（Ｓ５０２）、その後、搬送モータを停止させる（Ｓ５０３，５０４）。これにより、シートはストッパーセンサ６１３の位置で停止処理され、カット位置に載置されることになる。次に、シートが動かないように、プレス板６０９を下降させることにより上部から圧をかける処理である“シートプレス処理”を行い（Ｓ５０５）、その後、端部の“カット処理”（Ｓ５０６）、終了後、プレス板６０９を上昇させて“シートプレス処理の解除”（Ｓ５０７）を行う。トリムシーケンスを終了する。
【００３９】
［トリマー変倍の説明］
図示しない操作部もしくは、プリンタドライバ経由で、トリマー変倍が選ばれた時の処理を示す、図８に示す原稿６２３のサイズがＸ１、Ｙ１であって、記録紙６２２のサイズがＸ２、Ｙ２であって、この場合、画像が欠けない範囲で最大に拡大すると、Ｘ３、Ｙ２のサイズになる。拡大率はＹ２とＹ１の比率でもとまる。このとき、図中では画像の右の部分に余白部ができる。この余白部が先頭になるよう、Ｅ方向にプリンタ３００内での紙送り方向を決定する。これは通常の紙搬送方向であるＷ方向に比較して１８０度の画像回転が必要である。
【００４０】
図９の別の例を見ると、画像が欠けない範囲で最大に拡大すると、Ｘ２、Ｙ３のサイズになる。拡大率はＸ２とＸ１の比率でもとまる。このとき、図中では画像の下の部分に余白部ができる。この余白部が先頭になるよう、Ｓ方向にプリンタ３００内での紙送り方向を決定する。これは通常の紙搬送方向であるＷ方向に比較して９０度の画像右回転が必要である。
【００４１】
図１０に図８で説明した画像形成の紙搬送方向に回転を加えた記録紙６２２を示す。１３１はダミーラインで、実際の画像にはないラインを画像からＡの距離だけ、はみ出した位置にダミーラインを画像形成する。これは、トリマー位置の精度を上げるために使用する。
【００４２】
図１０に示す画像がプリンタ３００の定着部１１７を通過後に、１２１の反転フラッパー切替部で先に説明したように、反転され、ローラー１１８でプリンタ３００から排出される。
【００４３】
プリンタ３００から排出されたシートはトリマー部に進入し、図１１に示すように、記録された画像を下側にして、コンタクトセンサーの６０４を通過する。図１０と図１１を比較すると、画像の載った紙送り方向の長さＸ３がＸ３にＢを乗じた値に変化している。また紙の一端からダミーライン１３１までの距離も同様にＸ３＋ＡにＢを乗じた値に変化している。これは、定着器を通過することで紙が縮小するためであり、Ｂは１より小さく紙の種類や、湿度によって異なる。たとえば、Ｂ＝０．９９２といった値になる。こセンサ６０４の信号は図１２に示すようにＳｉｇ１のようになる。この信号は、記録紙の白い部分で光が反射されたときにＬＯＷを出力する。また図１３に示す回路でＳｉｇ１から、最初の立下りで、Ｓｉｇ３でＴｒｉｇ１を生成する。また、Ｓｉｇ２は、Ｓｉｇ１の画像領域をマスクしてダミーライン部分の信号だけをＴｒｉｇ２として抽出するためのマスク信号である。このＳｉｇ２とＳｉｇ１を論理積した信号がＳｉｇ４である。Ｓｉｇ２自体は、Ｓｉｇ３の立ち上がりから所定時間ｔ２経過後にＨｉｇｈとなる信号である。Ｓｉｇ３がＨｉｇｈかつＳｉｇ４がＬｏｗである時にカウントイネーブルとなるカウンターでｔ１は計測され、ＤＡＴＡとしてその時間を出力する。なおｔ２は図２０に示す式で求められる。Ｖは紙搬送のスピードである。このｔ１を用いて先の縮小率Ｂは図２１の式のように求められる。また紙を切断する長さはＸ３にＢを乗じた値となる。先のトリマー説明にある、ストッパー位置を調整することで切断長さは調整される。
【００４４】
［画像形成回路部のフローチャートによる説明］
図１４が画像形成回路部１５０のＣＰＵ１５３のフローである。使用者が操作する操作部１（図２）や外部からのプリンタドライバからコンピュータ２１０外部ＩＦ―２０９（図２）を経由して画像形成モードを受信し（Ｓ１０１）、画像データをイメージリーダー２０１や外部ＩＦ−２０９から受信する（Ｓ１０２）、そして画像生成モードの設定処理を行う（Ｓ１０３）。図１５は、画像生成モード設定処理１０３のトリマー変倍に関係する部分にみを詳細に記述したフローで、先のＳ１０１で受信した画像形成モードのを元に処理が行われる。まず、トリマー変倍であるか判断し（Ｓ２０１）、である場合は原稿と記録紙の比率により、図８のタイプであるか（Ｓ２０２）、図９のタイプであるか（Ｓ２０７）判断し、図８のタイプである場合、倍率をＹ２÷Ｙ１に計算し、ＲＡＭ１５２に記憶する（Ｓ２０３）。Ｘ３は図８に示す式で計算しＲＡＭ１５２に記憶する（Ｓ２０４）。図８に示すダミーライン追加の設定をＲＡＭ１５２に記憶する（Ｓ２０５）。１８０度の回転要求をＲＡＭ１５２に記憶する（Ｓ２０６）。その他の設定情報をＲＡＭ１５２に記憶する（Ｓ２１３）。トリマー部へトリマー設定を送信する。そのなかで、先に説明したＴ２が計算されて送信される（Ｓ２１４）。つづいて、Ｓ２０３〜Ｓ２１３でＲＡＭ１５２に記憶した設定を画像信号制御部に送信する（Ｓ２１５）。プリンタ制御部に用紙サイズや、排紙反転の設定を送信する（Ｓ２１６）。
【００４５】
（第２の実施例）
実施例１において図８の画像を回転して搬送方向をＥ方向にすることで、余白部を先頭にすると説明したが、回転をせず画像をＥ方向にシフトさせてＷ方向の先頭に余白を形成し、図２２の画像をＷ方向に紙搬送しても良い。
【００４６】
【発明の効果】
以上説明したように、本発明によれば、原稿サイズと出力サイズの縦横の長さの比率が同じでない場合にも、ふちの無い画像形成が形成できる。定着部を通過し縮小してもふちなしの画像が形成できる。
【図面の簡単な説明】
【図１】画像形成装置断面。
【図２】装置全体のブロック図。
【図３】トリマー動作の説明図。
【図４】トリマー動作の説明図。
【図５】トリマー動作の説明図。
【図６】トリマー動作の説明図。
【図７】トリマー動作の説明図。
【図８】原稿と記録紙の関係図。
【図９】原稿と記録紙の関係図。
【図１０】定着通過前の記録紙の状態を示す図。
【図１１】トリマー部のコンタクトセンサと記録紙の関係図。
【図１２】記録紙とコンタクトセンサーの信号の関係図。
【図１３】トリミング位置検出回路。
【図１４】画像形成制御部のＣＰＵ１５３のフロー。
【図１５】画像形成制御部のＣＰＵ１５３のフロー。
【図１６】トリマー制御部のＣＰＵ６１１０のフロー。
【図１７】トリマー制御部のＣＰＵ６１１０のフロー。
【図１８】トリマー制御部のＣＰＵ６１１０のフロー。
【図１９】トリマー制御部とフィニッシャー制御部のブロック図。
【図２０】ｔ２を示す式。
【図２１】縮小率Ｂを求める式。
【図２２】実施例２の記録紙。
【符号の説明】
１００  原稿給送装置
１０１  原稿給送装置制御部
１５０  画像形成回路部
１５３  画像形成回路部のＣＰＵ
１５１  画像形成回路部のＲＯＭ
２００  イメージリーダ
２０１  イメージリーダ制御部
２０２  画像信号制御部
３００  プリンタ部
３０１  プリンタ制御部
４００  折り装置
４０１  折り装置制御部
５００  フィニッシャー
５０１  フィニッシャー制御部
１０００  画像形成装置
６００  トリマー
６０１  トリマー制御部
６０２  入口ローラ
６０３  搬送ローラ
６０４  コンタクトセンサ
６０５  搬送ローラ
６０６  搬送ローラ
６０７  カッター
６０８  従動ローラ
６０９  プレス板
６１０  従動ローラ
６１１  搬送ローラ
６１２  搬送ローラ
６１３  ストッパーセンサ
６２２  記録紙
６２３  原稿
２１００  トリマー制御部
５１００  フィニッシャーＣＰＵ回路部
５１１０  フィニッシャーＣＰＵ回路部のＣＰＵ
５１２０  フィニッシャーＣＰＵ回路部のＲＯＭ
５１３０  フィニッシャーＣＰＵ回路部のＲＡＭ
５１４０  フィニッシャー通信ＩＣ
６１００  トリマーＣＰＵ回路部
６１１０  トリマーＣＰＵ回路部のＣＰＵ
６１２０  トリマーＣＰＵ回路部のＲＯＭ
６１３０  トリマーＣＰＵ回路部のＲＡＭ
６１３１  トリミング位置検出回路
６１５０  トリマー各駆動部のモータのドライバ
Ｍ２１  搬送モータ
Ｍ２２  カッターモータ
Ｍ２３  プレスモータ
Ｍ２４  ストッパー解除モータ
Ｍ２５  ストッパーモータ
【図１】
2004328219.tif 000003
【図２】
2004328219.tif 000004
【図３】
2004328219.tif 000005
【図４】
2004328219.tif 000006
【図５】
2004328219.tif 000007
【図６】
2004328219.tif 000008
【図７】
2004328219.tif 000009
【図８】
2004328219.tif 000010
【図９】
2004328219.tif 000011
【図１０】
2004328219.tif 000012
【図１１】
2004328219.tif 000013
【図１２】
2004328219.tif 000014
【図１３】
2004328219.tif 000015
【図１４】
2004328219.tif 000016
【図１５】
2004328219.tif 000017
【図１６】
2004328219.tif 000018
【図１７】
2004328219.tif 000019
【図１８】
2004328219.tif 000020
【図１９】
2004328219.tif 000021
【図２０】
2004328219.tif 000022
【図２１】
2004328219.tif 000023
【図２２】
2004328219.tif 000024